(57)【要約】【課題】車輌のドアの自動的なロックを適切な時間で行うことにより、車輌のセキュリティ性能を高めることができる車輌錠制御装置を提供する。【解決手段】人検知センサ２を車輌１に設け、人検知センサ２の出力信号に基づいて車輌ドアロック制御装置１０が車輌１の周辺に存在する人の検知を行う。車輌ドアロック制御装置１０は、車輌１から近距離の範囲で無線キー５との無線通信を行う近距離無線通信部１４と、遠距離の範囲で無線キー５との無線通信を行う遠距離無線通信部１５とを備える。車輌ドアロック制御装置１０は、これらの無線通信部と無線キー５との通信の有無に応じて、車輌１のドアをアンロックした後の自動ロックまでのタイムアウト時間を決定する。【選択図】図１
2014114569.tif 000002
【特許請求の範囲】
【請求項１】
可搬型の無線通信器との近距離通信を行う近距離無線通信部と、前記無線通信器との遠距離通信を行う遠距離無線通信部と、前記無線通信器から受信した施錠／開錠の要求に応じて車輌の扉の施錠／解錠を制御する制御部とを備える車輌錠制御装置において、
前記車輌の周辺に存在する人を検知する検知手段と、
前記無線通信器から前記扉の解錠要求を受信した場合に、前記近距離無線通信部及び前記遠距離無線通信部が前記無線通信器との通信を行ったか否かの別、並びに、前記検知手段の検知結果に応じて、前記扉を施錠するまでの時間を決定する施錠時間決定手段と
を備え、
前記制御部は、前記無線通信器から解錠要求を受信した場合に前記扉を解錠し、該扉の解錠から前記施錠時間決定手段が決定した時間の経過後に前記扉を施錠するようにしてあること
を特徴とする車輌錠制御装置。
【請求項２】
前記施錠時間決定手段は、
前記近距離無線通信部が前記無線通信器と通信を行った場合に、前記扉を施錠するまでの時間を長時間に決定し、
前記近距離無線通信部が前記無線通信器と通信を行わず、前記遠距離無線通信部が前記無線通信器と通信を行い、前記検知手段が人を検知していない場合に、前記扉を施錠するまでの時間を中時間に決定し、
前記近距離無線通信部が前記無線通信器と通信を行わず、前記遠距離無線通信部が前記無線通信器と通信を行い、前記検知手段が人を検知した場合に、前記扉を施錠するまでの時間を短時間に決定するようにしてあること
を特徴とする請求項１に記載の車輌錠制御装置。
【請求項３】
前記検知手段が人を検知する範囲は、前記遠距離無線通信部の通信範囲より狭いこと
を特徴とする請求項２に記載の車輌錠制御装置。
【請求項４】
前記時間の経過後の施錠を行うか否かの設定を受け付ける設定受付手段を更に備え、
前記制御部は、
前記設定受付手段が施錠を行わない設定を受け付けた場合、前記時間が経過したときであっても前記扉を施錠せず、
前記設定受付手段が施錠を行う設定を受け付けた場合に、前記時間の経過後に前記扉を施錠するようにしてあること
を特徴とする請求項１乃至請求項３のいずれか１つに記載の車輌錠制御装置。
【請求項５】
前記無線通信器からの解錠要求に応じて前記制御部が前記扉を解錠した後、前記施錠時間決定手段が決定した時間が経過する前に、前記扉が開かれたか否かを判定する扉開判定手段を更に備え、
前記制御部は、前記扉が開かれたと前記扉開判定手段が判定した場合、前記時間の経過後に前記扉を施錠しないようにしてあること
を特徴とする請求項１乃至請求項４のいずれか１つに記載の車輌錠制御装置。
【請求項６】
前記近距離無線通信部は、無線信号を送受信するためのアンテナを複数有し、
複数の前記アンテナは、前記車輌のそれぞれ異なる箇所に配設してあり、
前記制御部は、前記近距離無線通信部及び前記無線通信器の近距離無線通信がいずれのアンテナを介して行われたかに応じて、前記車輌の複数の扉のいずれを制御対象とするかを決定するようにしてあること
を特徴とする請求項１乃至請求項５のいずれか１つに記載の車輌錠制御装置。
【請求項７】
複数の前記アンテナは、前記車輌の各扉に設けられ、
前記制御部は、前記車輌の運転席の扉に設けられた前記アンテナを介して前記近距離無線通信部及び前記無線通信器の近距離無線通信が行われたか否かに応じて、制御対象を前記運転席の扉又は前記車輌の複数の扉に決定するようにしてあること
を特徴とする請求項６に記載の車輌錠制御装置。
【発明の詳細な説明】
【技術分野】
【０００１】
本発明は、車輌の扉の施錠／解錠を制御する車輌錠制御装置に関する。
【背景技術】
【０００２】
従来、ユーザが所持する無線通信器に設けられた操作部に対する操作に応じて、車輌のドア（扉）のロック／アンロック（施錠／開錠）を行うシステムが広く普及している。無線通信器は、例えば車輌のキーとの一体型又は別体のキーホルダ型等のものとして提供される。車輌には例えばボディＥＣＵ（Electronic Control Unit）などとして車輌錠制御装置が搭載され、この車輌錠制御装置が無線通信器との間で無線通信を行い、ドアのロック／アンロックを行う。また車輌錠制御装置には、無線通信器に対する操作に応じてドアをアンロックした場合、所定時間が経過した後にドアを自動的にロックする機能を備えているものがある。
【０００３】
特許文献１には、ユーザ操作に基づいてドアがアンロックされた後、所定のタイムアウト時間内に車輌ドアの開作動が検出されなかったとき、ドアロックを実行する車輌ドアロック制御装置（車輌錠制御装置）が記載されている。この車輌ドアロック制御装置は、ユーザがドアをアンロックしたときに車輌位置を検出し、検出した車輌位置に基づいてタイムアウト時間の長さを決定する。車輌ドアロック制御装置は、タイムアウト時間が経過してドアを自動的にロックした後、所定期間内にユーザからドアアンロックが要求されたとき、そのときの車輌位置を、タイムアウト時間を延長すべき地点として学習する。
【先行技術文献】
【特許文献】
【０００４】
【特許文献１】特開２００８−８８７３７号公報
【発明の概要】
【発明が解決しようとする課題】
【０００５】
しかしながら特許文献１に記載の車輌ドアロック制御装置は、ＧＰＳ（Global Positioning System）などから得られる情報を基に車輌位置を検出するが、ＧＰＳに基づく検出では車輌位置を正確に検出できない可能性がある。例えば地下駐車場又は立体駐車場等のようにＧＰＳの電波が受信できない場所では利用することができない。またドアのアンロックを行う都度、車輌位置の検出を行う必要があるため、車輌のエンジン停止状態での消費電力量が増大するという問題がある。
【０００６】
また特許文献１に記載の車輌ドアロック制御装置は、検出した車輌位置と、ドアロック後のアンロック要求に基づく学習内容とに基づいてタイムアウト時間を決定する構成であり、実際にユーザが車輌の周辺に存在するか否かがタイムアウト時間の決定に考慮されていない。このため、車輌のセキュリティ性が低いという問題がある。
【０００７】
本発明は、斯かる事情に鑑みてなされたものであって、その目的とするところは、車輌のドアの自動的なロックを適切な時間で行うことにより、車輌のセキュリティ性能を高めることができる車輌錠制御装置を提供することにある。
【課題を解決するための手段】
【０００８】
本発明に係る車輌錠制御装置は、可搬型の無線通信器との近距離通信を行う近距離無線通信部と、前記無線通信器との遠距離通信を行う遠距離無線通信部と、前記無線通信器から受信した施錠／開錠の要求に応じて車輌の扉の施錠／解錠を制御する制御部とを備える車輌錠制御装置において、前記車輌の周辺に存在する人を検知する検知手段と、前記無線通信器から前記扉の解錠要求を受信した場合に、前記近距離無線通信部及び前記遠距離無線通信部が前記無線通信器との通信を行ったか否かの別、並びに、前記検知手段の検知結果に応じて、前記扉を施錠するまでの時間を決定する施錠時間決定手段とを備え、前記制御部は、前記無線通信器から解錠要求を受信した場合に前記扉を解錠し、該扉の解錠から前記施錠時間決定手段が決定した時間の経過後に前記扉を施錠するようにしてあることを特徴とする。
【０００９】
また、本発明に係る車輌錠制御装置は、前記施錠時間決定手段が、前記近距離無線通信部が前記無線通信器と通信を行った場合に、前記扉を施錠するまでの時間を長時間に決定し、前記近距離無線通信部が前記無線通信器と通信を行わず、前記遠距離無線通信部が前記無線通信器と通信を行い、前記検知手段が人を検知していない場合に、前記扉を施錠するまでの時間を中時間に決定し、前記近距離無線通信部が前記無線通信器と通信を行わず、前記遠距離無線通信部が前記無線通信器と通信を行い、前記検知手段が人を検知した場合に、前記扉を施錠するまでの時間を短時間に決定するようにしてあることを特徴とする。
【００１０】
また、本発明に係る車輌錠制御装置は、前記検知手段が人を検知する範囲が、前記遠距離無線通信部の通信範囲より狭いことを特徴とする。
【００１１】
また、本発明に係る車輌錠制御装置は、前記時間の経過後の施錠を行うか否かの設定を受け付ける設定受付手段を更に備え、前記制御部は、前記設定受付手段が施錠を行わない設定を受け付けた場合、前記時間が経過したときであっても前記扉を施錠せず、前記設定受付手段が施錠を行う設定を受け付けた場合に、前記時間の経過後に前記扉を施錠するようにしてあることを特徴とする。
【００１２】
また、本発明に係る車輌錠制御装置は、前記無線通信器からの解錠要求に応じて前記制御部が前記扉を解錠した後、前記施錠時間決定手段が決定した時間が経過する前に、前記扉が開かれたか否かを判定する扉開判定手段を更に備え、前記制御部は、前記扉が開かれたと前記扉開判定手段が判定した場合、前記時間の経過後に前記扉を施錠しないようにしてあることを特徴とする。
【００１３】
また、本発明に係る車輌錠制御装置は、前記近距離無線通信部は、無線信号を送受信するためのアンテナを複数有し、複数の前記アンテナは、前記車輌のそれぞれ異なる箇所に配設してあり、前記制御部は、前記近距離無線通信部及び前記無線通信器の近距離無線通信がいずれのアンテナを介して行われたかに応じて、前記車輌の複数の扉のいずれを制御対象とするかを決定するようにしてあることを特徴とする。
【００１４】
また、本発明に係る車輌錠制御装置は、複数の前記アンテナが、前記車輌の各扉に設けられ、前記制御部は、前記車輌の運転席の扉に設けられた前記アンテナを介して前記近距離無線通信部及び前記無線通信器の近距離無線通信が行われたか否かに応じて、制御対象を前記運転席の扉又は前記車輌の複数の扉に決定するようにしてあることを特徴とする。
【００１５】
本発明においては、例えば超音波センサ又は赤外線センサ等を車輌に設け、これらのセンサから得られる情報に基づいて、車輌錠制御装置が車輌の周辺に存在する人の検知を行う。また車輌錠制御装置は、車輌から近距離の範囲で無線通信器との無線通信を行う近距離無線通信部と、遠距離の範囲で無線通信を行う遠距離無線通信部とを備える。車輌錠制御装置は、これらの無線通信部と無線通信器との通信の有無に応じて、ドアのアンロック操作がなされた場合の車輌から無線通信器（即ちこれを所持するユーザ）までの距離を判断する。車輌錠制御装置は、車輌周辺の人の検知結果と、無線通信器との通信の有無に基づく距離とに応じて、車輌のドアをアンロックした後のロックまでの時間を決定する。これにより、車輌周辺にユーザ又は他の人が存在するか否かに応じて、適切にドアロックまでの時間を決定することができる。
【００１６】
例えば車輌錠制御装置は、近距離無線通信部が無線通信器と通信を行った場合、ユーザが車輌から近距離に存在すると判断し、ドアロックまでの時間を長時間とする。これにより、ユーザの利便性を向上することができる。
また例えば車輌錠制御装置は、近距離無線通信部が無線通信器と通信を行わず、遠距離無線通信部が通信を行った場合、ユーザが車輌から遠距離に存在すると判断し、車輌周辺の他の人の検知結果に応じて、ドアロックまでの時間を中時間又は短時間とする。このとき車輌錠制御装置は、車輌周辺に他の人が検知されない場合にはドアロックまでの時間を中時間とし、他の人が検知された場合にはドアロックまでの時間を短時間とする。これにより車輌のセキュリティ性能を向上できる。
なお、車輌周辺の人検知の範囲は、遠距離無線通信部の無線通信範囲より狭いものとする。
【００１７】
また、本発明においては、車輌錠制御装置が、自動的なドアロックを行うか否かの設定を受け付ける。自動的なドアロックを行わない設定を受け付けた場合、車輌錠制御装置は、ドアのアンロックから所定の時間が経過した場合であっても、ドアのロックを行わない。これにより、例えばユーザが荷物の運搬などのために車輌のドアを長時間に亘ってアンロック状態で維持したい場合に、自動的なドアロックを行わない設定とすることで、荷物の運搬などを円滑に行うことができる。
【００１８】
また、本発明においては、無線通信器の操作部に対する操作に応じてドアのアンロックを行った後、ユーザにより車輌のドアが開かれた場合、車輌錠制御装置は、所定の時間が経過してもドアの自動的なロックを行わない。これにより、ユーザが車輌付近に存在する可能性が高い場合にドアがロックされることがなく、ユーザの利便性を向上することができる。
【００１９】
また、本発明においては、近距離無線通信のためのアンテナを複数備え、例えば各アンテナを順に用いるなどして無線通信器との近距離通信を行う。複数のアンテナを車輌のそれぞれ異なる箇所に配設することによって、各アンテナを用いた近距離無線通信の通信領域を異なるものとすることができる。これにより、いずれのアンテナにて近距離無線通信が成立したかに応じて、無線通信器の位置を判断することができる。例えば複数のアンテナを車輌の各ドアに配設することで、無線通信器を所持するユーザがいずれのドアの近傍に存在するかを判断することができる。
そこで車輌錠制御装置は、いずれのアンテナにて近距離無線通信が成立したかに応じて、制御対象とするドアを決定する。例えば運転席のドアに設けられたアンテナにて近距離無線通信が成立した場合には、運転席のドアをアンロック及びその後の自動ロックの対象とすることができる。これにより、ユーザの位置に適したドアを制御対象とすることができるため、車輌のセキュリティ性能を向上することができる。
【発明の効果】
【００２０】
本発明に係る車輌ドアロック装置は、車輌周辺の人の検知結果と、近距離無線通信部及び遠距離無線通信部が無線通信器と通信を行ったか否かの別とに応じて、車輌のドアのアンロックから自動的なロックまでの時間を決定する。これにより、車輌周辺にユーザ又は他の人が存在するか否かに応じてロックまでの時間が決定されるため、ドアロックまでの時間を適切に決定することができ、車輌のセキュリティ性能を高めることができる。またこの構成は、ＧＰＳなどにより車輌位置を検出して時間を決定する場合と比較して、消費電力量を低減することができる。
【図面の簡単な説明】
【００２１】
【図１】本実施の形態に係るドアロックシステムの構成を示すブロック図である。
【図２】本実施の形態に係るドアロックシステムの構成を示すブロック図である。
【図３】車輌ドアロック制御装置による無線通信の範囲を説明するための模式図である。
【図４】ドアのアンロックから自動ロックまでのタイムアウト時間を説明するための表である。
【図５】車輌ドアロック制御装置が行うドアのロック／アンロック制御処理の手順を示すフローチャートである。
【図６】車輌ドアロック制御装置が行うドアのロック／アンロック制御処理の手順を示すフローチャートである。
【図７】実施の形態２に係る車輌ドアロック制御装置によるドアロック制御を説明するための模式図である。
【図８】実施の形態２に係る車輌ドアロック制御装置によるドアロック制御を説明するための表である。
【発明を実施するための形態】
【００２２】
（実施の形態１）
以下、本発明をその実施の形態を示す図面に基づき具体的に説明する。図１及び図２は、本実施の形態に係るドアロックシステムの構成を示すブロック図である。本実施の形態に係るドアロックシステムは、車輌１に搭載された車輌ドアロック制御装置（車輌錠制御装置）１０と、ユーザが所持する可搬型の無線キー５とを備えている。車輌ドアロック制御装置１０及び無線キー５は、無線通信により情報の送受信を行うことができる。車輌ドアロック制御装置１０は、車輌１の一又は複数のドア（図示は省略する）に対するロック／アンロックの制御を行う装置であり、例えばボディＥＣＵなどである。車輌ドアロック制御装置１０は、車輌１の各ドアに設けられたロック操作部（図示は省略する）又は無線キー５に対してユーザが行った操作に応じて、ドアロック機構３の動作を制御し、ドアのロック／アンロックを行う。
【００２３】
車輌ドアロック制御装置１０は、制御部１１、設定受付部１２、記憶部１３、近距離無線通信部１４及び遠距離無線通信部１５等を備えて構成されている。制御部１１は、ＣＰＵ（Central Processing Unit）又はＭＰＵ（Micro Processing Unit）等の演算処理装置を用いて構成され、記憶部１３などに記憶されたプログラム（図示は省略する）を読み出して実行することにより、車輌ドアロック制御装置１０内の各部の動作を制御する処理を行う。
【００２４】
設定受付部１２は、車輌１の運転席周辺に設けられたボタン、スイッチ又はタッチパネル等を用いて構成され、ドアのロック／アンロックに係る種々の設定操作を受け付ける。本実施の形態においては、車輌１のドアのオートロック機能（詳細は後述する）のオン／オフ設定を受け付ける。設定受付部１２は、例えば車輌１に搭載されたカーナビゲーション装置などを利用するものであってもよい。設定受付部１２は、受け付けた設定を制御部１１へ通知する。
【００２５】
記憶部１３は、ＥＥＰＲＯＭ（Electrically Erasable Programmable Read Only Memory）又はフラッシュメモリ等の不揮発性のメモリ素子を用いて構成されており、種々の情報を記憶する。例えば記憶部１３は、設定受付部１２にて受け付けた設定が制御部１１から与えられ、この設定情報を記憶する。また例えば記憶部１３は、無線キー５との間で行う認証処理に必要な認証情報を記憶している。制御部１１は、記憶部１３に記憶された情報を読み出すことができると共に、必要な情報を記憶部１３に記憶することができる。
【００２６】
近距離無線通信部１４は、車輌１の適所に配されたアンテナ１４ａに接続されており、例えばＬＦ(Low Frequency) 帯の電波を用いて無線キー５との無線通信を行う。近距離無線通信部１４の通信範囲は、遠距離無線通信部１５の通信範囲と比較して、車輌１から近い距離範囲に設定されている。近距離無線通信部１４は無線キー５から受信した情報を制御部１１へ与えると共に、制御部１１から与えられた情報を無線キー５へ送信する。
【００２７】
遠距離無線通信部１５は、車輌１の適所に配されたアンテナ１５ａに接続されており、例えばＵＨＦ（Ultra High Frequency）帯の電波を用いて無線キー５との無線通信を行う。遠距離無線通信部１５の通信範囲は、遠距離無線通信部１５の通信範囲と比較して、車輌１から遠い距離範囲に設定されている。遠距離無線通信部１５は無線キー５から受信した情報を制御部１１へ与えると共に、制御部１１から与えられた情報を無線キー５へ送信する。
【００２８】
また車輌１の適所には、車輌１の周辺に存在する人を検知する人検知センサ２が搭載されている。人検知センサ２は、例えば超音波又は赤外線等を出射してその反射波を検知することによって人の検知を行う構成のものを利用することができる。またこの構成に限らず、人検知センサ２は、例えば人が放出する赤外線を検知する構成であってもよく、例えばカメラにて車輌１の周辺を撮影して人を検知する構成であってもよく、その他の構成であってもよい。人検知センサ２は、人の存在の有無を示す出力信号を車輌ドアロック制御装置１０へ出力し、車輌ドアロック制御装置１０の制御部１１は、人検知センサ２の出力信号をサンプリングして、人の存在の検知結果を取得する。
【００２９】
車輌ドアロック制御装置１０の制御部１１は、無線通信により無線キー５からロック／アンロックの要求を受信した場合、車輌１のドアロック機構３へ制御信号を出力することにより、車輌１のドアのロック／アンロックを行う。ドアロック機構３は、車輌１の各ドアをロック／アンロックするための機械機構と、この機械機構を電気的に動作させるためのモータ又はアクチュエータ等とを有している。制御部１１は、無線キー５からの要求に応じて、ドアロック機構３のモータ又はアクチュエータ等を動作させることにより、ドアのロック／アンロックを行う。
【００３０】
無線キー５は、車輌１のドアのロック／アンロックなどに用いるものであり、ユーザが持ち運び可能な大きさである。無線キー５は、制御部５１、記憶部５２、操作部５３、近距離無線通信部５４及び遠距離無線通信部５５等を備えて構成されている。記憶部５２は、ＥＥＰＲＯＭなどの不揮発性のメモリ素子を用いて構成されており、車輌１に搭載された車輌ドアロック制御装置１０との間で行う認証処理に必要な認証情報などを記憶している。制御部５１は、記憶部５２に記憶された情報を読み出すことができると共に、必要な情報を記憶部５２に記憶することができる。
【００３１】
操作部５３は、車輌１のドアのロック／アンロック操作を受け付けるためのものである。操作部５３は、例えば車輌１のドアをロックするロックボタン及びアンロックするアンロックボタンがそれぞれ設けられていてもよく、ドアのロック／アンロックを交互に行う共通のボタンが設けられていてもよく、その他の構成であってもよい。操作部５３は、ユーザによるロック／アンロックの操作を受け付けて制御部５１へ通知する。
【００３２】
近距離無線通信部５４は、アンテナ５４ａを有しており、例えばＬＦ帯の電波を用いて車輌ドアロック制御装置１０との無線通信を行う。近距離無線通信部５４は車輌ドアロック制御装置１０から受信した情報を制御部５１へ与えると共に、制御部５１から与えられた情報を車輌ドアロック制御装置１０へ送信する。遠距離無線通信部５５は、アンテナ５５ａを有しており、例えばＵＨＦ帯の電波を用いて車輌ドアロック制御装置１０との無線通信を行う。遠距離無線通信部５５は車輌ドアロック制御装置１０から受信した情報を制御部５１へ与えると共に、制御部５１から与えられた情報を車輌ドアロック制御装置１０へ送信する。
【００３３】
図３は、車輌ドアロック制御装置１０による無線通信の範囲を説明するための模式図である。車輌ドアロック制御装置１０の近距離無線通信部１４の無線通信範囲は、例えば図３に車輌１を中心とした破線円で示す範囲である。なお近距離無線通信部１４の無線通信範囲は、例えばアンテナ１４ａを中心として数メートル程度の範囲である。遠距離無線通信部１５の無線通信範囲は、例えば図３に車輌１を中心とした一点鎖線の円で示す範囲である。なお遠距離無線通信部１５の無線通信範囲は、例えばアンテナ１５ａを中心として十数メートル〜数十メートル程度の範囲である。
【００３４】
また人検知センサ２による人の検知範囲は、例えば図３に車輌１を中心とした二点鎖線の円で示す範囲である。人検知センサ２による検知範囲は、人検知センサ２の設置位置から数メートル程度の範囲である。なお図３においては、人検知センサ２の検知範囲が近距離無線通信部１４による無線通信範囲より狭い例を示してあるが、人検知センサ２の検知範囲は近距離無線通信部１４による無線通信範囲と同じ又はこれより広くてもよい。ただし本実施の形態において、人検知センサ２の検知範囲は、遠距離無線通信部１５による無線通信の範囲よりは狭いものとする。
【００３５】
無線キー５の操作部５３にてロック／アンロックの操作がなされた場合、操作部５３から制御部５１へその旨が通知される。制御部５１は、操作部５３からの通知に応じて、まず遠距離無線通信部５５にてＵＨＦ帯の信号をアンテナ５５ａから送信することにより、車輌１の車輌ドアロック制御装置１０との無線通信を試みる。車輌ドアロック制御装置１０の制御部１１は、遠距離無線通信部１５にて無線キー５からの無線信号を受信した場合、遠距離無線通信部１５にて無線キー５への返信を行い、必要に応じて認証処理などを行った後、無線キー５からのロック／アンロック要求に応じてドアロック機構３への制御信号を出力することにより、ドアのロック／アンロックを行う。
【００３６】
また本実施の形態に係る車輌ドアロック制御装置１０の制御部１１は、遠距離無線通信部１５にて無線キー５からドアのアンロックの要求を受信した場合、近距離無線通信部１４による無線キー５との無線通信を行い、無線通信が成立したか否かに応じて車輌１から無線キー５までの距離を判断する。即ち制御部１１は、近距離無線通信部１４による無線キー５との近距離無線通信が成立した場合、無線キー５が車輌１から近距離に存在すると判断でき、無線キー５との近距離無線通信が成立しない場合、無線キー５が車輌１から遠距離に存在すると判断できる。またこのときに制御部１１は、人検知センサ２の出力信号をサンプリングすることによって、車輌１の周辺に人が存在するか否かを判断する。
【００３７】
車輌ドアロック制御装置１０の制御部１１は、無線キー５からのアンロック要求に応じて車輌１のドアのアンロックを行った場合、所定のタイムアウト時間が経過した後に、ドアの自動ロックを行う。制御部１１は、自動ロックまでのタイムアウト時間を、車輌１から無線キー５までの距離と、車輌１の周辺に人が存在するか否かとに基づいて決定する。
【００３８】
図４は、ドアのアンロックから自動ロックまでのタイムアウト時間を説明するための表である。車輌ドアロック制御装置１０の制御部１１は、近距離無線通信部１４による無線キー５との近距離無線通信が成立した場合、人検知センサ２の検知結果に関係なく、セキュリティレベルは低レベルであると判断し、自動ロックまでのタイムアウト時間を長時間（例えば数十秒〜数分）に決定する。また制御部１１は、近距離無線通信部１４による無線キー５との近距離無線通信が成立せず、人検知センサ２にて車輌１の周辺に人が検知されない場合、セキュリティレベルは中レベルであると判断し、自動ロックまでのタイムアウト時間を中時間（例えば十数秒〜数十秒）に決定する。また制御部１１は、近距離無線通信部１４による無線キー５との近距離無線通信が成立せず、人検知センサ２にて車輌１の周辺に人が検知された場合、セキュリティレベルは高レベルであると判断し、自動ロックまでのタイムアウト時間を短時間（例えば数秒〜十数秒）に決定する。なお制御部１１は、遠距離無線通信部１５による無線キー５との通信が成立していない場合、ドアのアンロックを行うことはなく、タイムアウト時間の決定処理を行うことはない。
【００３９】
車輌ドアロック制御装置１０の制御部１１は、遠距離無線通信部１５にて無線キー５からのアンロック要求を受信した場合、近距離無線通信部１４による無線キー５との無線通信が成立するか否か及び人検知センサ２の検知結果に応じたタイムアウト時間の決定を行った後、ドアロック機構３への制御信号を出力して車輌１のドアをアンロックする。その後、制御部１１は、タイマによる計時を行い、決定したタイムアウト時間が経過した場合に、ドアロック機構へ制御信号を出力して、ドアをロックする。なお、タイムアウト時間が経過する前に車輌１のドアが開かれた場合、制御部１１は、ドアの自動ロックを行わない。
【００４０】
なお、車輌ドアロック制御装置１０は、設定受付部１２にてドアの自動ロックを行うか否かの設定を受け付け、受け付けた設定を記憶部１３に設定情報として記憶している。自動ドアロックを行わない設定（自動ドアロック無効設定）がなされている場合、車輌ドアロック制御装置１０の制御部１１は、上述のようなタイムアウト時間の決定及びタイムアウト時間経過後のドアロック等の自動ドアロックを行わない。自動ドアロックを行う設定（自動ドアロック有効設定）がなされている場合、制御部１１は、上述のような自動ドアロックを行う。
【００４１】
図５及び図６は、車輌ドアロック制御装置１０が行うドアのロック／アンロック制御処理の手順を示すフローチャートである。車輌ドアロック制御装置１０の制御部１１は、遠距離無線通信部１５にて無線キー５からの無線信号を受信し、無線キー５との遠距離無線通信が成立したか否かを判定する（ステップＳ１）。なお遠距離無線通信の成立には、認証処理の成功などの条件も含まれる。無線キー５との遠距離無線通信が成立していない場合（Ｓ１：ＮＯ）、制御部１１は、遠距離無線通信が成立するまで待機する。
【００４２】
無線キー５との遠距離無線通信が成立した場合（Ｓ１：ＹＥＳ）、制御部１１は、無線キー５からの要求がドアのアンロックであるか否かを判定する（ステップＳ２）。要求がアンロックでない、即ちドアのロックである場合（Ｓ２：ＮＯ）、制御部１１は、ドアロック機構３へドアをロックする制御信号を出力することにより、ドアのロックを行い（ステップＳ３）、処理を終了する。
【００４３】
無線キー５からの要求がドアのアンロックである場合（Ｓ２：ＹＥＳ）、制御部１１は、記憶部１３に記憶された設定情報を読み出し、自動ドアロックの有効設定がなされているか否かを判定する（ステップＳ４）。自動ドアロックの有効設定がなされていない、即ち無効設定がなされている場合（Ｓ４：ＮＯ）、制御部１１は、ドアロック機構３へドアをアンロックする制御信号を出力することにより、ドアのアンロックを行い（ステップＳ５）、処理を終了する。
【００４４】
自動ドアロックの有効設定がなされている場合（Ｓ４：ＹＥＳ）、制御部１１は、近距離無線通信部１４にて無線キー５との近距離無線通信を行い（ステップＳ６）、無線キー５までの距離を判定する。また制御部１１は、人検知センサ２の出力信号をサンプリングすることにより、車輌１の周辺の人検知結果を取得する（ステップＳ７）。制御部１１は、近距離無線通信部１４による無線キー５との近距離無線通信が成立したか否か、及び、人検知結果に基づいて、自動ドアロックまでのタイムアウト時間を決定する（ステップＳ８、図４参照）。
【００４５】
次いで制御部１１は、ドアロック機構３へドアをアンロックする制御信号を出力することにより、ドアのアンロックを行い（ステップＳ９）、タイマによる計時を開始する（ステップＳ１０）。その後、制御部１１は、車輌１のドアが開かれたか否かを判定し（ステップＳ１１）、ドアが開かれた場合（Ｓ１１：ＹＥＳ）、自動ドアロックを行わずに処理を終了する。
【００４６】
ドアが開かれていない場合（Ｓ１１：ＮＯ）、制御部１１は、タイマによる計時に基づき、ステップＳ８にて決定したタイムアウト時間が経過したか否かを判定する（ステップＳ１２）。タイムアウト時間が経過していない場合（Ｓ１２：ＮＯ）、制御部１１は、ステップＳ１１へ処理を戻す。タイムアウト時間が経過した場合（Ｓ１２：ＹＥＳ）、制御部１１は、ドアロック機構３へドアをロックする制御信号を出力することにより、ドアのロックを行い（ステップＳ１３）、処理を終了する。
【００４７】
以上の構成の本実施の形態に係るドアロックシステムは、人検知センサ２を車輌１に設け、人検知センサ２の出力信号に基づいて車輌ドアロック制御装置１０が車輌１の周辺に存在する人の検知を行う。また車輌ドアロック制御装置１０は、車輌１から近距離の範囲で無線キー５との無線通信を行う近距離無線通信部１４と、遠距離の範囲で無線キー５との無線通信を行う遠距離無線通信部１５とを備える。車輌ドアロック制御装置１０は、これらの無線通信部と無線キー５との通信の有無に応じて、無線キー５にてドアのアンロック操作がなされた場合の車輌１から無線キー５までの距離を判断する。車輌ドアロック制御装置１０は、車輌１の周辺の人の検知結果と、無線キー５との通信の有無とに応じて、車輌１のドアをアンロックした後の自動ロックまでのタイムアウト時間を決定する。これにより、車輌１の周辺にユーザ又は他の人が存在するか否かに応じて、適切にドアロックまでのタイムアウト時間を決定することができ、車輌１のセキュリティ性能を高めることができる。またこの構成は、ＧＰＳなどにより車輌１の位置を検出してタイムアウト時間を決定する構成と比較して、消費電力量を低減することができる。
【００４８】
車輌ドアロック制御装置１０は、近距離無線通信部１４が無線キー５との通信を行った場合、ユーザが車輌１から近距離に存在すると判断し、ドアロックまでのタイムアウト時間を長時間とする。これによりユーザの利便性を高めることができる。また車輌ドアロック制御装置１０は、遠距離無線通信部１５が無線キー５との通信を行い、近距離無線通信部１４が無線キー５との通信を行わず、車輌１の周辺に人が検知されない場合、ユーザが車輌１から遠距離に存在すると判断し、タイムアウト時間を中時間とする。また車輌ドアロック制御装置１０は、遠距離無線通信部１５が無線キー５との通信を行い、近距離無線通信部１４が無線キー５との通信を行わず、車輌１の周辺に人が検知された場合、ユーザ以外の人が車輌１の周辺に存在すると判断し、タイムアウト時間を短時間とする。これらにより、車輌１のセキュリティ性能を向上できる。
【００４９】
また車輌ドアロック制御装置１０は、設定受付部１２にてドアの自動ロックを行うか否かの設定を受け付け、記憶部１３に設定情報として記憶する。車輌ドアロック制御装置１０は、自動ドアロック無効の設定がなされている場合、ドアのアンロックからタイムアウト時間が経過した後であっても、ドアのロックを行わない。これにより、例えばユーザが荷物の運搬などのために車輌１のドアを長時間に亘ってアンロック状態で維持したい場合に、ドアの自動ロックを行わない設定とすることで、荷物の運搬などを円滑に行うことができる。
【００５０】
また車輌ドアロック制御装置１０は、無線キー５の操作部５３に対する操作に応じて車輌１のドアのアンロックを行った後、車輌１のドアが開かれた場合、ドアのアンロックからタイムアウト時間が経過した後であっても、ドアのロックを行わない。これにより、ユーザが車輌１の付近に存在する可能性が高い場合にドアがロックされることがなく、ユーザの利便性を向上することができる。
【００５１】
なお本実施の形態においては、車輌ドアロック制御装置１０が近距離無線通信部１４及び遠距離無線通信部１５を備える構成としたが、これに限るものではない。例えば近距離無線通信部１４及び遠距離無線通信部１５を備える通信装置などと車輌ドアロック制御装置１０とが通信を行うことで、無線キー５と車輌ドアロック制御装置１０とが間接的に通信を行う構成としてもよい。換言すれば、車輌ドアロック制御装置１０は、複数の装置を組み合わせたシステムとして構成されるものであってよい。
【００５２】
また車輌ドアロック制御装置１０は、設定受付部１２にて受け付けた設定を記憶部１３に設定情報として記憶する構成としたが、これに限るものではない。例えばドアの自動ロックを行うか否かを切り替えるスイッチなどを車輌１の運転席近傍などに配置し、このスイッチの切替状態を自動ロックの設定として受け付ける構成としてもよい。また図３に示した通信範囲及び人検知範囲は、一例であって、これに限るものではない。
【００５３】
（実施の形態２）
図７は、実施の形態２に係る車輌ドアロック制御装置１０によるドアロック制御を説明するための模式図である。実施の形態２に係るドアロックシステムでは、車輌１の運転席のドア、助手席のドア及び左右後部座席のドアの４箇所に近距離無線通信用のアンテナ１４ａが設けられている（ただし図７においては各アンテナの符号１４ａの図示を省略する）。各アンテナ１４ａの通信範囲は、アンテナ１４ａが設けられたドアを中心とした数十センチメートル〜数メートルの範囲内である（図７中の４つの破線円参照）。また４つのアンテナ１４ａの通信範囲は、その一部が重複するが、それぞれ異なる範囲である。
【００５４】
実施の形態２に係る車輌ドアロック制御装置１０の制御部１１は、遠距離無線通信部１５にて無線キー５からのアンロック要求を受信した後に、近距離無線通信部１４にて４つのアンテナ１４ａを順に用いて無線キー５との近距離無線通信を行う。制御部１１は、各アンテナ１４ａを用いた無線キー５との近距離無線通信が成立したか否かに応じて、アンロック及びタイムアウト時間経過後の自動ロックの対象とする車輌１のドアを決定する。
【００５５】
図８は、実施の形態２に係る車輌ドアロック制御装置１０によるドアロック制御を説明するための表である。本例では、車輌ドアロック制御装置１０が、運転席のドアと、これ以外の他のドアとを区別して制御を行う。車輌ドアロック制御装置１０の制御部１１は、車輌１の運転席のドアに設けられたアンテナ１４ａを用いた近距離無線通信部１４と無線キー５との近距離無線通信が成立した場合、他の席のドアに設けられたアンテナ１４ａを用いた近距離無線通信が成立したか否かに関係なく、運転席のドアをアンロック及びタイムアウト時間経過後の自動ロックの対象とする。なおこのときのタイムアウト時間は、図４に示すように、近距離無線通信が成立したため長時間に決定される。
【００５６】
また制御部１１は、運転席のドアに設けられたアンテナ１４ａを用いた近距離無線通信が成立せず、他の席のドアに設けられたアンテナ１４ａによる近距離無線通信が成立した場合、車輌１の全ドアをアンロック及びタイムアウト時間経過後の自動ロックの対象とする。このときのタイムアウト時間は、近距離無線通信が成立したため長時間に決定される。また制御部１１は、いずれのアンテナ１４ａを用いた近距離無線通信も成立しない場合も同様に、車輌１の全ドアをアンロック及びタイムアウト時間経過後の自動ロックの対象とする。ただしことのきのタイムアウト時間は、近距離無線通信が成立していないため、人検知センサ２の検知結果に応じて中時間又は短時間に決定される。
【００５７】
以上の構成の実施の形態２に係る車輌ドアロック制御装置１０は、近距離無線通信のためのアンテナ１４ａを複数備え、例えば各アンテナ１４ａを順に用いるなどして無線キー５との近距離無線通信を行う。複数のアンテナ１４ａは、車輌１の運転席のドア、助手席のドア及び左右後部座席のドアに配設される。各アンテナ１４ａを用いた近距離無線通信の通信領域は、図７に示すように異なるものとなる。これにより、いずれのアンテナ１４ａにて近距離無線通信が成立したかに応じて、無線キー５の位置を判断することができ、無線キー５を所持するユーザがいずれのドアの近傍に存在するかを判断することができる。
【００５８】
実施の形態２に係る車輌ドアロック制御装置１０は、いずれのアンテナ１４ａにて無線キー５との近距離無線通信が成立したかに応じて、アンロック及びその後の自動ロックの対象とするドアを決定する。例えば車輌ドアロック制御装置１０は、運転席のドアに設けられたアンテナ１４ａにて無線キー５との近距離無線通信が成立した場合、運転席のドアを制御対象と決定する。また車輌ドアロック制御装置１０は、運転席のドアに設けられたアンテナ１４ａにて近距離無線通信が成立せず、他のドアに設けられたアンテナ１４ａにて近距離無線通信が成立した場合、車輌１の全ドアを制御対象と決定する。これにより、車輌ドアロック制御装置１０は、無線キー５を所持するユーザの位置に適したドアを制御対象とすることができ、例えばユーザが運転席近傍にてアンロック操作を行った場合には、運転席のドアのみがアンロックされるなど、車輌１のセキュリティ性能を向上することができる。
【００５９】
なお実施の形態２においては、車輌１に近距離無線通信用の４つのアンテナ１４ａを搭載する構成としたが、これに限るものではなく、３つ以下又は５つ以上のアンテナ１４ａを車輌１に搭載する構成としてもよい。またアンテナ１４ａは、必ずしも車輌１のドアに設ける必要はなく、その他の箇所に設けてもよい。例えば更に車輌１のトランクのドアなどにアンテナ１４ａを設けてもよく、これにより無線キー５を所持するユーザがトランクの近傍に存在するか否かを判断することができる。また例えば２つのアンテナ１４ａを車輌１の左右に設ける構成としてもよく、これによりユーザが車輌１の左右いずれの側に存在するかを判断することができる。
【００６０】
また車輌ドアロック制御装置１０は、運転席のドアと、他のドアとを区別して制御を行う構成としたが、これに限るものではない。例えば運転席のドア、助手席のドア及び左右後部座席のドアをそれぞれ個別に制御してもよい。この場合、車輌ドアロック制御装置１０は、無線キー５との近距離無線通信が成立したアンテナ１４ａが設けられたドアを制御対象と決定する構成とすることができる。
【００６１】
また実施の形態２に係る車輌ドアロック制御装置１０のその他の構成は、実施の形態１に係る車輌ドアロック制御装置１０の構成と同様であるため、同様の箇所には同じ符号を付して詳細な説明を省略する。
【符号の説明】
【００６２】
１  車輌
２  人検知センサ（検知手段）
３  ドアロック機構
５  無線キー（無線通信器）
１０  車輌ドアロック制御装置
１１  制御部（検知手段、施錠時間決定手段、設定受付手段、扉開判定手段）
１２  設定受付部（設定受付手段）
１３  記憶部
１４  近距離無線通信部
１４ａ  アンテナ
１５  遠距離無線通信部
１５ａ  アンテナ
５１  制御部
５２  記憶部
５３  操作部
５４  近距離無線通信部
５４ａ  アンテナ
５５  遠距離無線通信部
５５ａ  アンテナ
【図１】
2014114569.tif 000003
【図２】
2014114569.tif 000004
【図３】
2014114569.tif 000005
【図４】
2014114569.tif 000006
【図５】
2014114569.tif 000007
【図６】
2014114569.tif 000008
【図７】
2014114569.tif 000009
【図８】
2014114569.tif 000010